(57)【要約】【課題】  児童が三角定規の使用を通じて直角、垂直、平行を正しく理解でき、且つ、作図工程がやさしくわかり、併せてコンパスや分度器を使用しないでも正多角形のいくつかを容易に描くことを可能にする。【解決手段】  二等辺直角三角形の定規に、各斜辺の底辺側端を始点として各斜辺の中途にかけて設けられる補助目盛１１、１１、各斜辺の頂点側端を始点として各斜辺の中途にかけて設けられる補助目盛１２、１２を、内角が９０度、６０度、３０度の直角三角形の定規に、斜辺の底辺側端を始点として斜辺の中途にかけて設けられる補助目盛２１、頂点側端を始点として斜辺の中途にかけて設けられる補助目盛２２、頂点側端を始点として垂線の中途にかけて設けられる補助目盛２３を設ける。【選択図】      図８
0003124145.tif 000002
【実用新案登録請求の範囲】
【請求項１】
二等辺直角三角形の第１定規（１０）と、内角が９０度、６０度、３０度の直角三角形の第２定規（２０）の組み合わせからなる三角定規において、各定規に底辺の主目盛り（Ｍ）の他に、次の補助目盛りを設けたことを特徴とする三角定規。
第１定規（１０）の各斜辺の底辺側端を始点として各斜辺の中途にかけて設けられる補助目盛（１１、１１）。
第１定規（１０）の各斜辺の頂点側端を始点として各斜辺の中途にかけて設けられる補助目盛（１２、１２）。
第２定規（２０）の斜辺の底辺側端を始点として斜辺の中途にかけて設けられる補助目盛（２１）。
第２定規（２０）の頂点側端を始点として斜辺の中途にかけて設けられる補助目盛（２２）。
第２定規（２０）の頂点側端を始点として垂線の中途にかけて設けられる補助目盛（２３）。
【請求項２】
補助目盛りの始点から最初の１目盛りは間隔５ｍｍの粗目盛り（１１Ａ、１２Ａ、２１Ａ、２２Ａ、２３Ａ）である請求項１記載の三角定規。
【考案の詳細な説明】
【技術分野】
【０００１】
この考案は製図用の三角定規に関し、より詳細には児童が三角定規の使用を通じて直角、垂直、平行を正しく理解でき、且つ、作図工程がやさしくわかり、併せてコンパスや分度器を使用しないでも正多角形のいくつかを容易に描くことを可能にする三角定規に関する。
【背景技術】
【０００２】
二等辺直角三角形の定規と内角が９０度、６０度、３０度の直角三角形の定規の組み合わせからなる定規が、「三角定規」として古くから親しまれている。この種の定規においては底辺に設けた目盛りにより長さを計測したり、二等辺直角三角形の４５度、９０度の内角、直角三角形の９０度、６０度、３０度の内角を利用して各種の製図を行うことができる。
【特許文献１】特開平９−２０７４９７号公報
【考案の開示】
【考案が解決しようとする課題】
【０００３】
図５１は従来技術の三角定規を使用して直角三角形を作図する手順を示す図である。ここでは、(1) に示す底辺４ｃｍ、垂線２ｃｍの直角三角形ア・イ・ウを作図することとする。尚、本願発明の各図面において図中符号Ｌは三角定規をガイドとして利用することにより描かれる線を指す。又、図解を明瞭にするために三角定規は破線で表している。この手順では、先ず内角が９０度、６０度、３０度の直角三角形の定規Ｓ２（以下、本願明細書においては「第２定規」と称する。）を利用して三角形の底辺ア・イを描き、次いで上記の定規Ｓ２の底辺に二等辺直角三角形の定規Ｓ１（以下、本願明細書においては「第１定規」と称する。）の斜辺を当接し、他方の斜辺を利用して垂線ウ・アを描く（(2) 参照）。この場合、ア・イに対して底辺が位置する第２定規Ｓ２は、底辺の目盛りＭが使用できるので実線からなる長さ４ｃｍの底辺を描くことができるが、第１定規Ｓ１は目盛りが存しない斜辺がウ・アに対して位置するので、寸法を計測することができない。そこで、先ず線ウ・アより長めの細線を暫定的に描き（(3) 参照。）、改めて定規の目盛りを使用して上記の細線上に長さ２ｃｍの線ウ・アをなぞり（(4) 参照。）、更に斜辺ウ・イを書いて三角形を完成させる（(5) 参照。）。
【０００４】
一方、異なる手段としては、先ず定規Ｓ１を利用して三角形の底辺ア・イを描き、次いで上記の定規Ｓ１の底辺に定規Ｓ２の垂線を当接し、目盛りが存する底辺を利用して垂線ウ・アを描く。この場合、定規Ｓ２の底辺の目盛りの始点と垂線端間には余白があるので、予めこの余白部分の長さを測っておいて、その部分の長さを長さ目盛りに足してウ・アの長さを計測する。但し、製造各社によって余白部分の長さが一定でなく異なるので、この手段はあまり使用されていない。
【０００５】
図５２は従来技術の三角定規を使用して正三角形を作図する手順を示す図である。ここでは、(1) に示す各辺が４ｃｍの正三角形ア・イ・ウを作図することとする。この手順では、定規Ｓ２の底辺の目盛りＭを利用して三角形の底辺ア・イを描く（(2) 参照。）。次いで、コンパスを用いて底辺の両端ア・イをそれぞれの中心として、底辺上に半径４ｃｍの２つの弧を暫定的に描き、これらを交差させる（(3) 参照。）。これにより、求める正三角形の頂点ウが上記２つの弧の交点として得られるので、この交点と底辺の両端ア・イをそれぞれ結ぶ線を書いて三角形を完成させる（(4) 参照。）。
【０００６】
図５３は従来技術の三角定規を使用して正方形を作図する手順を示す図である。ここでは、(1) に示す各辺が４ｃｍの正方形ア・イ・ウ・エを作図することとする。この手順では、先ず定規Ｓ２を利用して正方形の底辺ア・イを描き、次いで上記の定規Ｓ２の底辺に定規Ｓ１の斜辺を当接し、他方の斜辺を利用して線エ・アより長めの細線を暫定的に描く（(2) (3) 参照）。そして、コンパスを用いて底辺の左端アを中心として、底辺上に半径４ｃｍの弧を先ず描き、上記の暫定的に書いた細線と交差させる。この交点が得られる正方形の左辺の上端エとなる。次いで、コンパスを用いて上記のエと底辺の右端イをそれぞれの中心として、底辺上に半径４ｃｍの２つの弧を描き、これらを交差させる。この交点が得られる正方形の右辺の上端ウとなる（(3) 参照。）。最後にアとエ、エとウ、ウとイを結ぶ線を書いて正方形を完成させる（(4) 参照。）。
【０００７】
以上の作図法は小学校の低学年の授業で児童が課題として学び、高学年になるとこの作図法を応用して正多角形を作図することも学ぶこととなる。この場合、従来技術の三角定規を用いた作図法においては、前記のように図形を構成する本来の線の他に作図の過程で使用した暫定的な線や弧が残ることとなる。そこで、几帳面な児童がこれらの線や弧を消しゴムを使用して除去しようとして、誤って本来の線の一部まで消してしまい、再度線を描き足すというような不都合な障害がたまに生じることがある。
【０００８】
又、以上の作図法においてはコンパスの使用が不可欠となるが、児童によってはコンパスをうまく操れない者もおり、それがために作図がうまくできず、本来の目的である作図作業を通じての直角、垂直、平行の理解の習得に障害が生じる場合もある。
【課題を解決するための手段】
【０００９】
この考案は以上の従来技術の問題点を解消した三角定規を提供することを目的として創作されたものであり、二等辺直角三角形の第１定規と、内角が９０度、６０度、３０度の直角三角形の第２定規の組み合わせからなる三角定規において、各定規に底辺の主目盛りの他に、次の補助目盛りを設けたことを特徴とする。
【００１０】
第１定規の各斜辺の底辺側端を始点として各斜辺の中途にかけて設けられる補助目盛。      
【００１１】
第１定規の各斜辺の頂点側端を始点として各斜辺の中途にかけて設けられる補助目盛。      
【００１２】
第２定規の斜辺の底辺側端を始点として斜辺の中途にかけて設けられる補助目盛。
【００１３】
第２定規の頂点側端を始点として斜辺の中途にかけて設けられる補助目盛。
【００１４】
第２定規の頂点側端を始点として垂線の中途にかけて設けられる補助目盛。
【００１５】
又、ここでは第２考案として、上記の三角定規において、補助目盛りの始点から最初の１目盛りを間隔５ｍｍの粗目盛りとしたことを特徴とする三角定規も開示する。
【考案の効果】
【００１６】
この考案の三角定規によれば、底辺のみでなく斜辺や垂線にも目盛りが設けられ、しかもこれらの目盛りは斜辺や垂線端を始点としているので、従来技術の三角定規では寸法を計測できなかった次の角度の直線の寸法も計測することが可能となる。
【００１７】
(1) 第１定規において、底辺に対して４５度傾斜した直線の寸法。
【００１８】
(2) 第１定規において、一方の斜辺に対して９０度傾斜した直線の寸法。
【００１９】
(3) 第２定規において、底辺に対して３０度傾斜した直線の寸法。
【００２０】
(4) 第２定規において、斜辺又は垂線に対して６０度傾斜した直線の寸法。
【００２１】
その結果、考案を実施するための最良の形態の箇所で詳説するように、この考案の三角定規によれば下書きの細線やコンパス或いは分度器を使用しなくても多種の角度の直線の寸法を図形を容易に計測して描くことが可能となり、低学年の児童でも三角定規を使用して多種の図形を作図することができる。そこで、現在小学２年生の授業で教えている直角三角形、長方形、正方形の説明の時間に、三角定規を使用したこれらの作図を盛り込みことが可能となり、定義だけでなく、実際に作図することで学習の理解度が深まる効果を得ることができる。
【００２２】
次に、第２考案の三角定規によれば、補助目盛りの始点から最初の１目盛りを間隔５ｍｍの粗目盛りとしているので、紙面上で定規を上下に配して端面同士を当接して使用する場合（例えば、図５１の(2) 参照。）に補助目盛りの始点において他方の定規の目盛りとの干渉がなく、視認しやすい効果が得られる。
【考案を実施するための最良の形態】
【００２３】
以下、この考案の三角定規の具体的実施例を添付図面に基づいて説明する。図１は第１定規１０の平面図である。この定規は二等辺直角三角形からなり、底辺に設けた主目盛りＭの他に下記の補助目盛りを有する。
【００２４】
各斜辺の底辺側端を始点として各斜辺の中途にかけて設けられる補助目盛１１、１１。      
【００２５】
各斜辺の頂点側端を始点として各斜辺の中途にかけて設けられる補助目盛１２、１２。      
【００２６】
又、この実施例においては上記の補助目盛１１、１１の始点から最初の１目盛り１１Ａを間隔５ｍｍの粗目盛、同じく補助目盛１２、１２の始点から最初の１目盛り１２Ａを間隔５ｍｍの粗目盛とし、その他の目盛りは間隔１ｍｍの細目盛りとしている。
【００２７】
この実施例においては上記の第１定規は底辺１５ｃｍ、主目盛りＭは１２ｃｍ、補助目盛１１、１１・１２、１２は５ｃｍのものを例示しているが、寸法はこれらに限定されず、例えば底辺１２ｃｍ、１８ｃｍ、２４ｃｍやそれ以外のものであってもよいことは勿論である。又、ここでは定規は透明プラスチック製のものを想定しているが、材質はこれに限定されないことは勿論である。
【００２８】
図２は第２定規２０の平面図である。この定規は内角が９０度、６０度、３０度の直角三角形からなり、底辺に設けた主目盛りＭの他に下記の補助目盛りを有する。
【００２９】
斜辺の底辺側端を始点として斜辺の中途にかけて設けられる補助目盛２１。
【００３０】
斜辺の頂点側端を始点として斜辺の中途にかけて設けられる補助目盛２２。
【００３１】
垂線の頂点側端を始点として垂線の中途にかけて設けられる補助目盛２３。
【００３２】
又、この実施例においては上記の補助目盛２１の始点から最初の１目盛り２１Ａを間隔５ｍｍの粗目盛、同じく補助目盛２２の始点から最初の１目盛り２２Ａを間隔５ｍｍの粗目盛とし、同じく補助目盛２３の始点から最初の１目盛り２３Ａを間隔５ｍｍの粗目盛とし、その他の目盛りは間隔１ｍｍの細目盛りとしている。
【００３３】
この実施例においては上記の第２定規は底辺１５ｃｍで、主目盛りＭは１２ｃｍ、補助目盛２１、２２、２３は７ｃｍのものを例示しているが、寸法はこれらに限定されず例えば底辺１２ｃｍ、１８ｃｍ、２４ｃｍやそれ以外のものであってもよいことは勿論である。又、ここでは定規は透明プラスチック製のものを想定しているが、材質はこれに限定されないことは勿論である。
【００３４】
以下、前記の三角定規を使用して各種の図形を作図する実例を添付図面に基づき説明する。尚、本願発明の各図面において図中符号Ｌは三角定規をガイドとして利用することにより描かれる線を指す。又、図解を明瞭にするために三角定規は破線で表している。図３乃至図４は底辺４ｃｍ、垂線２ｃｍの直角三角形ア・イ・ウを作図する手順を示す図である。
【００３５】
−手順１−
第１定規１０の左右の斜辺及び補助目盛り１２、１２を用いて、底辺４ｃｍ、垂線２ｃｍの線を描く（図３参照）。
【００３６】
−手順２−
上記の垂線の上端ウと底辺の右端イを結ぶ斜辺を描くことにより直角三角形ア・イ・ウを完成させる（図４参照）。
【００３７】
図５乃至図７は底辺４ｃｍの二等辺直角三角形ア・イ・ウを作図する手順を示す図である。
【００３８】
−手順１−
長さ４ｃｍの直線ア・イを描く（図５参照）。
【００３９】
−手順２−
第１定規１０を左右の斜辺が上記の直線ア・イの両端に接するように重ね、その際に左右の斜辺の補助目盛り１２、１２を用いて頂点Ｔまでの長さが等辺になるようにする（図６参照）。
【００４０】
−手順３−
上記Ｔが探り当てた三角形の頂点ウに該当するので、これと直線ア・イの左右端を結ぶ線を描くことにより二等辺直角三角形ア・イ・ウを完成させる（図７参照）。
【００４１】
図８乃至図１０は各辺が４ｃｍの正三角形ア・イ・ウを作図する手順を示す図である。
【００４２】
−手順１−
第２定規２０の斜辺及び補助目盛り２２を利用して、水平線に対して６０度傾斜した長さ４ｃｍの線を描く（図８参照）。
【００４３】
−手順２−
裏返した第２定規２０の斜辺及び補助目盛り２２を利用して、水平線に対して−６０度傾斜した長さ４ｃｍの線を、６０度傾斜した上記の線と上端を接して描く（図９参照）。
【００４４】
−手順３−
以上の手順により描いた線が正三角形の右辺ウ・イと左辺ウ・アを構成するので、それぞれの辺の下端アとイを結ぶ線を描くことにより正三角形ア・イ・ウを完成させる（図１０参照）。
【００４５】
図１１乃至図１３は底辺が４ｃｍ、左右の斜辺が３ｃｍの等脚台形ア・イ・ウ・エを作図する手順を示す図である。
【００４６】
−手順１−
第２定規２０の斜辺及び補助目盛り２２を利用して、水平線に対して６０度傾斜した長さ３ｃｍの線を描く（図１１参照）。
【００４７】
−手順２−
裏返した第２定規２０の斜辺及び補助目盛り２２を利用して、水平線に対して−６０度傾斜した長さ３ｃｍの線を、６０度傾斜した上記の線と下端を４ｃｍ離して描く（図１２参照）。
【００４８】
−手順３−
以上の手順により描いた線が等脚台形の右辺ウ・イと左辺ウ・アを構成するので、それぞれの辺の上端エとウを結ぶ線及び下端アとイを結ぶ線を描くことにより等脚台形ア・イ・ウ・エを完成させる（図１３参照）。
【００４９】
図１４乃至図１６は底辺が４ｃｍ、底辺との内角が６０度の左右の斜辺が２ｃｍの平行四辺形ア・イ・ウ・エを作図する手順を示す図である。
【００５０】
−手順１−
第２定規２０の斜辺及び補助目盛り２２を利用して、水平線に対して６０度傾斜した長さ２ｃｍの線を描く（図１４参照）。
【００５１】
−手順２−
第２定規２０をそのまま平行に移動し、斜辺及び補助目盛り２２を利用して、水平線に対して６０度傾斜した長さ２ｃｍの線を、６０度傾斜した上記の線と４ｃｍ離して描く（図１５参照）。
【００５２】
−手順３−
以上の手順により描いた線が平行四辺形の右辺ウ・イと左辺エ・アを構成するので、それぞれの辺の上端エとウを結ぶ線及び下端アとイを結ぶ線を描くことにより平行四辺形ア・イ・ウ・エを完成させる（図１６参照）。
【００５３】
図１７乃至図１９は各辺が４ｃｍの正方形ア・イ・ウ・エを作図する手順を示す図である。
【００５４】
−手順１−
第１定規１０の斜辺及び補助目盛り１２を利用して、水平線に対して９０度傾斜した長さ４ｃｍの線を描く（図１８参照）。
【００５５】
−手順２−
第１定規２０をそのまま平行に移動し、斜辺及び補助目盛り１２を利用して、水平線に対して９０度傾斜した長さ４ｃｍの線を、９０度傾斜した上記の線と４ｃｍ離して描く（図１８参照）。
【００５６】
−手順３−
以上の手順により描いた線が正方形の右辺ウ・イと左辺エ・アを構成するので、それぞれの辺の上端エとウを結ぶ線及び下端アとイを結ぶ線を描くことにより正方形ア・イ・ウ・エを完成させる（図１９参照）。
【００５７】
図２０乃至図２４は重心から角頂点が２ｃｍの正三角形ア・イ・ウを作図する手順を示す図である。
【００５８】
−手順１−
第２定規２０の斜辺及び補助目盛り２１を利用して、水平線に対して３０度傾斜した長さ２ｃｍの線を描く（図２０参照）。
【００５９】
−手順２−
裏返した第２定規２０の斜辺及び補助目盛り２１を利用して、水平線に対して−３０度傾斜した長さ２ｃｍの線を、６０度傾斜した上記の線と上端を接して描く（図２１参照）。
【００６０】
−手順３−
裏返した第２定規２０の垂線及び補助目盛り２３を利用して、上記の２本の線の頂点から垂直方向に長さ２ｃｍの線を描く（図２２参照）。
【００６１】
−手順４−
以上の手順により描いた線が正三角形の重心から各頂点ア・イ・ウを結ぶ線となるので、各線の端部ア・イ・ウ同士を結ぶ線を描くことにより正三角形ア・イ・ウを完成させる（図２３、２４参照）。
【００６２】
図２５乃至図２８は各対角線が４ｃｍの正方形ア・イ・ウ・エを作図する手順を示す図である。
【００６３】
−手順１−
第１定規１０の斜辺及び補助目盛り１１を利用して、水平線に対して４５度傾斜した長さ４ｃｍの線を描く（図２５参照）。
【００６４】
−手順２−
第２定規１０の反対側の斜辺及び補助目盛り１１を利用して、水平線に対して−４５度傾斜した長さ４ｃｍの線を、４５度傾斜した上記の線と中心同士が交差するよう描く（図２６参照）。
【００６５】
−手順３−
以上の手順により描いた線が正方形の各対角線となるので、各線の端部ア・イ・ウ・エ同士を結ぶ線を描くことにより正方形ア・イ・ウ・エを完成させる（図２７、２８参照）。
【００６６】
図２９乃至図３１は各辺が４ｃｍの菱形ア・イ・ウ・エを作図する手順を示す図である。
【００６７】
−手順１−
第２定規２０の斜辺及び補助目盛り２２を利用して、水平線に対して６０度傾斜した長さ４ｃｍの線を描く（図２９参照）。
【００６８】
−手順２−
第２定規２０をそのまま平行に移動し、斜辺及び補助目盛り２２を利用して、水平線に対して６０度傾斜した長さ４ｃｍの線を、６０度傾斜した上記の線と４ｃｍ離して描く（図３０参照）。
【００６９】
−手順３−
以上の手順により描いた線が菱形の対向する辺ウ・イと辺エ・アを構成するので、それぞれの辺の上端エとウを結ぶ線及び下端アとイを結ぶ線を描くことにより菱形ア・イ・ウ・エを完成させる（図３１参照）。
【００７０】
図３２乃至図３６は各対角線が４ｃｍの正六角形ア・イ・ウ・エ・オ・カを作図する手順を示す図である。
【００７１】
−手順１−
第２定規２０の斜辺及び補助目盛り２１を利用して、水平線に対して３０度傾斜した長さ４ｃｍの線を描く（図３２参照）。
【００７２】
−手順２−
裏返した第２定規２０の斜辺及び補助目盛り２１を利用して、水平線に対して−３０度傾斜した長さ４ｃｍの線を、３０度傾斜した上記の線と中心同士が交差するよう描く（図３３参照）。
【００７３】
−手順３−
裏返した第２定規２０の底辺及び目盛りＭを利用して、水平線に対して９０度傾斜した長さ４ｃｍの線を、上記の各線と中心同士が交差するよう描く（図３４参照）。
【００７４】
−手順４−
以上の手順により描いた線が正六角形の各対角線となるので、各線の端部ア・イ・ウ・エ・オ・カ同士を結ぶ線を描くことにより正六角形ア・イ・ウ・エ・オ・カを完成させる（図３５、３６参照）。
【００７５】
図３７乃至図４２は各対角線が４ｃｍの正八角形ア・イ・ウ・エ・オ・カ・キ・クを作図する手順を示す図である。
【００７６】
−手順１−
第１定規１０の斜辺及び補助目盛り１１を利用して、水平線に対して４５度傾斜した長さ４ｃｍの線を描く（図３７参照）。
【００７７】
−手順２−
第１定規１０をそのまま平行に移動し、反対側の斜辺及び補助目盛り１１を利用して、水平線に対して−４５度傾斜した長さ４ｃｍの線を、４５度傾斜した上記の線と中心を交差させて描く（図３８参照）。
【００７８】
−手順３−
第２定規２０の底辺及び目盛りＭを利用して、水平線に対して９０度傾斜した長さ４ｃｍの線を、上記の各線と中心同士が交差するよう描く（図３９参照）。
【００７９】
−手順４−
第１定規１０の斜辺及び補助目盛り１２を利用して、水平線方向に長さ４ｃｍの線を描く（図４０参照）。
【００８０】
−手順５−
以上の手順により描いた線が正八角形の各対角線となるので、各線の端部ア・イ・ウ・エ・オ・カ・キ・ク同士を結ぶ線を描くことにより正八角形ア・イ・ウ・エ・オ・カ・キ・クを完成させる（図４１、４２参照）。
【００８１】
図４３乃至図５０は各対角線が４ｃｍの正十二角形ア・イ・ウ・エ・オ・カ・キ・ク・ケ・コ・サ・シを作図する手順を示す図である。
【００８２】
−手順１−
第２定規２０の斜辺及び補助目盛り２１を利用して、水平線に対して３０度傾斜した長さ４ｃｍの線を、既に描いた水平線に対して９０度傾斜した長さ４ｃｍの線と中心同士が交差するよう描く（図４３参照）。
【００８３】
−手順２−
裏返した第２定規２０の斜辺及び補助目盛り２１を利用して、水平線に対して−３０度傾斜した長さ４ｃｍの線を、上記の各線と中心同士が交差するよう描く（図４４参照）。
【００８４】
−手順３−
第２定規２０の斜辺及び補助目盛り２２を利用して、水平線に対して６０度傾斜した長さ４ｃｍの線を、上記の各線と中心同士が交差するよう描く（図４５参照）。
【００８５】
−手順４−
裏返した第２定規２０の斜辺及び補助目盛り２２を利用して、水平線に対して−６０度傾斜した長さ４ｃｍの線を、上記の各線と中心同士が交差するよう描く（図４６参照）。
【００８６】
−手順５−
第１定規１０の斜辺及び補助目盛り１２を利用して、水平線方向に長さ４ｃｍの線を、上記の各線と中心同士が交差するよう描く（図４７参照）。
【００８７】
−手順７−
以上の手順により描いた線が正十二角形の各対角線となるので、各線の端部ア・イ・ウ・エ・オ・カ・キ・ク・ケ・コ・サ・シ同士を結ぶ線を描くことにより正十二角形ア・イ・ウ・エ・オ・カ・キ・ク・ケ・コ・サ・シを完成させる（図４８、４９参照）。
【００８８】
以上の手順により描いた正十二角形を利用して、図５０に示すような時計を容易に描くことができる。児童は作図の過程において対角線により１２分割されることを理解するので、１時から１２時までの時計の読み方の理解の一助となる。
【図面の簡単な説明】
【００８９】
【図１】この考案の三角定規の第１定規の平面図。
【図２】この考案の三角定規の第２定規の平面図。
【図３】この考案の三角定規の使用例を示す第１定規の平面図。
【図４】同上、図形の平面図。
【図５】この考案の三角定規の使用例を示す作図途中の図形の平面図。
【図６】同上、第１定規の平面図。
【図７】同上、図形の平面図。
【図８】この考案の三角定規の使用例を示す第１定規及び第２定規の平面図。
【図９】同上、第１定規及び第２定規の平面図。
【図１０】同上、図形の平面図。
【図１１】同上、第１定規及び第２定規の平面図。
【図１２】同上、第１定規及び第２定規の平面図。
【図１３】同上、図形の平面図。
【図１４】この考案の三角定規の使用例を示す第１定規及び第２定規の平面図。
【図１５】同上、第１定規及び第２定規の平面図。
【図１６】同上、図形の平面図。
【図１７】この考案の三角定規の使用例を示す第１定規及び第２定規の平面図。
【図１８】同上、第１定規及び第２定規の平面図。
【図１９】同上、図形の平面図。
【図２０】この考案の三角定規の使用例を示す第１定規及び第２定規の平面図。
【図２１】同上、第１定規及び第２定規の平面図。
【図２２】同上、第１定規及び第２定規の平面図。
【図２３】同上、作図途中の図形の平面図。
【図２４】同上、図形の平面図。
【図２５】この考案の三角定規の使用例を示す第１定規及び第２定規の平面図。
【図２６】同上、第１定規及び第２定規の平面図。
【図２７】同上、作図途中の図形の平面図。
【図２８】同上、図形の平面図。
【図２９】この考案の三角定規の使用例を示す第１定規及び第２定規の平面図。
【図３０】同上、第１定規及び第２定規の平面図。
【図３１】同上、図形の平面図。
【図３２】この考案の三角定規の使用例を示す第１定規及び第２定規の平面図。
【図３３】同上、第１定規及び第２定規の平面図。
【図３４】同上、第１定規及び第２定規の平面図。
【図３５】同上、作図途中の図形の平面図。
【図３６】同上、図形の平面図。
【図３７】この考案の三角定規の使用例を示す第１定規及び第２定規の平面図。
【図３８】同上、第１定規及び第２定規の平面図。
【図３９】同上、第１定規及び第２定規の平面図。
【図４０】同上、第１定規及び第２定規の平面図。
【図４１】同上、作図途中の図形の平面図。
【図４２】同上、図形の平面図。
【図４３】この考案の三角定規の使用例を示す第１定規及び第２定規の平面図。
【図４４】同上、第１定規及び第２定規の平面図。
【図４５】同上、第１定規及び第２定規の平面図。
【図４６】同上、第１定規及び第２定規の平面図。
【図４７】同上、第１定規及び第２定規の平面図。
【図４８】同上、作図途中の図形の平面図。
【図４９】同上、図形の平面図。
【図５０】この考案の三角定規を利用して描いた時計の図の平面図。
【図５１】従来技術の三角定規の使用例を示す概念図。
【図５２】従来技術の三角定規の使用例を示す概念図。
【図５３】従来技術の三角定規の使用例を示す概念図。
【符号の説明】
【００９０】
Ｍ                主目盛り
１０              第１定規
１１              補助目盛り
１１Ａ            粗目盛り
１２              補助目盛り
１２Ａ            粗目盛り
２０              第２定規
２１              補助目盛り
２１Ａ            粗目盛り
２２              補助目盛り
２２Ａ            粗目盛り
２３              補助目盛り
２３Ａ            粗目盛り
【図１】
0003124145.tif 000003
【図２】
0003124145.tif 000004
【図３】
0003124145.tif 000005
【図４】
0003124145.tif 000006
【図５】
0003124145.tif 000007
【図６】
0003124145.tif 000008
【図７】
0003124145.tif 000009
【図８】
0003124145.tif 000010
【図９】
0003124145.tif 000011
【図１０】
0003124145.tif 000012
【図１１】
0003124145.tif 000013
【図１２】
0003124145.tif 000014
【図１３】
0003124145.tif 000015
【図１４】
0003124145.tif 000016
【図１５】
0003124145.tif 000017
【図１６】
0003124145.tif 000018
【図１７】
0003124145.tif 000019
【図１８】
0003124145.tif 000020
【図１９】
0003124145.tif 000021
【図２０】
0003124145.tif 000022
【図２１】
0003124145.tif 000023
【図２２】
0003124145.tif 000024
【図２３】
0003124145.tif 000025
【図２４】
0003124145.tif 000026
【図２５】
0003124145.tif 000027
【図２６】
0003124145.tif 000028
【図２７】
0003124145.tif 000029
【図２８】
0003124145.tif 000030
【図２９】
0003124145.tif 000031
【図３０】
0003124145.tif 000032
【図３１】
0003124145.tif 000033
【図３２】
0003124145.tif 000034
【図３３】
0003124145.tif 000035
【図３４】
0003124145.tif 000036
【図３５】
0003124145.tif 000037
【図３６】
0003124145.tif 000038
【図３７】
0003124145.tif 000039
【図３８】
0003124145.tif 000040
【図３９】
0003124145.tif 000041
【図４０】
0003124145.tif 000042
【図４１】
0003124145.tif 000043
【図４２】
0003124145.tif 000044
【図４３】
0003124145.tif 000045
【図４４】
0003124145.tif 000046
【図４５】
0003124145.tif 000047
【図４６】
0003124145.tif 000048
【図４７】
0003124145.tif 000049
【図４８】
0003124145.tif 000050
【図４９】
0003124145.tif 000051
【図５０】
0003124145.tif 000052
【図５１】
0003124145.tif 000053
【図５２】
0003124145.tif 000054
【図５３】
0003124145.tif 000055
【手続補正書】
【提出日】平成18年6月2日(2006.6.2)
【手続補正１】
【補正対象書類名】実用新案登録請求の範囲
【補正対象項目名】請求項１
【補正方法】変更
【補正の内容】
【請求項１】
二等辺直角三角形の第１定規（１０）と、内角が９０度、６０度、３０度の直角三角形の第２定規（２０）の組み合わせからなる三角定規において、各定規に底辺の主目盛り（Ｍ）の他に、第１定規（１０）の各斜辺の底辺側端を始点として各斜辺の中途にかけて設けられる補助目盛（１１、１１）、第１定規（１０）の各斜辺の頂点側端を始点として各斜辺の中途にかけて設けられる補助目盛（１２、１２）、第２定規（２０）の斜辺の底辺側端を始点として斜辺の中途にかけて設けられる補助目盛（２１）、第２定規（２０）の頂点側端を始点として斜辺の中途にかけて設けられる補助目盛（２２）、第２定規（２０）の頂点側端を始点として垂線の中途にかけて設けられる補助目盛（２３）を設けたことを特徴とする三角定規。